(57)【要約】【課題】画像形成器現像剤収容器３０ａ及び画像形成器３０ｂの誤装着を防止して現像剤の混色を防ぐ。【解決手段】カバー２が開けられた後にカバー２が閉じられると、位置照合部５４は、色情報ＩＤ２を読み出し、色情報ＩＤ２と位置情報記憶部５４ａに記憶された位置情報ＩＤ３とを照合し、照合結果Ｓ５４を出力する。色情報照合部５３は、色情報ＩＤ１及び色情報ＩＤ２を読み出してこれらを照合し、照合結果Ｓ５３を出力する。遮蔽板駆動部５２は、照合結果Ｓ５４及び照合結果Ｓ５３を入力し、照合結果Ｓ５４が一致で、且つ照合結果Ｓ５３が一致のときには、遮蔽板３２を駆動して像剤収容器３０ａから画像形成器３０ｂに現像剤Ｔを供給する。照合結果Ｓ５４と照合結果Ｓ５３との少なくとも１つが不一致のときには、遮蔽板駆動部５２は、遮蔽板３２を駆動して現像剤の供給を停止する。【選択図】図１
2013225043.tif 000002
【特許請求の範囲】
【請求項１】
現像剤により画像を形成する着脱可能な画像形成器と、
前記画像形成器に対して着脱可能に装着され、前記現像剤を収容して前記画像形成器へ供給する現像剤収容器と、
前記現像剤収容器に取り付けられ、前記現像剤収容器に収容される前記現像剤における第１の色情報を記憶する第１の記憶手段と、
前記画像形成器に取り付けられ、前記画像形成器に収容される前記現像剤における第２の色情報を記憶する第２の記憶手段と、
前記第１の色情報及び前記第２の色情報を入力し、前記第１の色情報と前記第２の色情報とが一致するか否かを照合して第１の照合結果を出力する色情報照合部と、
前記第１の照合結果を入力して前記第１の照合結果に基づき、前記現像剤収容器から前記画像形成器への前記現像剤の供給を制御する供給制御手段と、
を備えたことを特徴とする画像形成装置。
【請求項２】
請求項１記載の画像形成装置は、更に、
前記第１の記憶手段に記憶された前記第１の色情報と、前記第２の記憶手段に記憶された前記第２の記憶手段と、を無線により前記色情報照合部に伝送する無線伝送手段を備えたことを特徴とする画像形成装置。
【請求項３】
前記無線伝送手段は、
前記第１の色情報及び前記第２の色情報を受信するアンテナと、
前記アンテナにより受信された前記第１の色情報及び前記第２の色情報における前記色情報照合部への伝送を制御する制御部と、
を有することを特徴とする請求項２記載の画像形成装置。
【請求項４】
請求項１〜３のいずれか１項に記載の画像形成装置において、
前記画像形成器は、前記現像剤の色に対応して複数配設され、
前記複数の画像形成器の配設位置を示す第３の色情報を記憶する第３の記憶部と、
前記第２の色情報を入力し、前記第２の色情報と前記第３の色情報とが一致するか否かを照合して第２の照合結果を出力する位置照合部と、
を備え、
前記供給制御手段は、前記第２の照合結果を入力して前記第２の照合結果に基づき、前記現像剤収容器から前記画像形成器への前記現像剤の供給を制御することを特徴とする画像形成装置。
【請求項５】
請求項１〜４のいずれか１項に記載の画像形成装置は、
前記画像形成器及び前記現像剤収容器を覆う開閉可能なカバーと、
前記カバーの開状態又は閉状態を検出して第１の起動信号を出力するカバー開閉検出手段と、を備えたことを特徴とする画像形成装置。
【請求項６】
請求項１〜５のいずれか１項に記載の画像形成装置は、
前記画像形成器に対して前記現像剤収容器が装着されているか否かを検出して第２の起動信号を出力する着脱検出手段を備えたことを特徴とする画像形成装置。
【請求項７】
前記色情報照合部は、
前記第１の起動信号を入力して起動され、前記第１の色情報及び前記第２の色情報を入力して前記第１の色情報と前記第２の色情報とが一致するか不一致かを照合し、前記第１の照合結果を出力することを特徴とする請求項５記載の画像形成装置。
【請求項８】
前記色情報照合部は、
前記第２の起動信号を入力して起動され、前記第１の色情報及び前記第２の色情報を入力して前記第１の色情報と前記第２の色情報とが一致するか不一致かを照合し、前記第１の照合結果を出力することを特徴とする請求項６記載の画像形成装置。
【請求項９】
前記位置照合部は、
前記第１の起動信号を入力して起動され、前記第２の色情報を入力して前記第２の色情報と前記第３の色情報とが一致するか否かを照合して前記第２の照合結果を出力することを特徴とする請求項５記載の画像形成装置。
【請求項１０】
前記位置照合部は、
前記第２の起動信号を入力して起動され、前記第２の色情報を入力して前記第２の色情報と前記第３の色情報とが一致するか否かを照合して前記第２の照合結果を出力することを特徴とする請求項６記載の画像形成装置。
【請求項１１】
前記供給制御手段は、
前記第１の照合結果を入力し、前記第１の照合結果が前記不一致であったときには、前記現像剤収容器から前記画像形成器への前記現像剤の供給を停止し、前記第１の照合結果が前記一致であったときには、前記現像剤収容器から前記画像形成器への前記現像剤の供給を可能にすることを特徴とする請求項１〜１０のいずれか１項に記載の画像形成装置。
【請求項１２】
前記現像剤収容器は、
前記画像形成器に対して前記現像剤を供給するための開口部を有し、
前記供給制御手段は、
前記現像剤収容器の前記開口部を開閉する開閉部材と、
前記第１の照合結果を入力し、前記第１の照合結果が前記不一致であったときには、前記開閉部材を駆動して前記開口部を閉じ、前記第１照合結果が前記一致であったときには、前記開閉部材を駆動して前記開口部を開ける駆動部と、
を有することを特徴とする請求項１〜１０のいずれか１項に記載の画像形成装置。
【請求項１３】
前記供給制御手段は、
前記第２の照合結果を入力し、前記第２の照合結果が前記不一致であったときには、前記現像剤収容器から前記画像形成器への前記現像剤の供給を停止し、前記第２の照合結果が前記一致であったときには、前記現像剤収容器から前記画像形成器への前記現像剤の供給を可能にすることを特徴とする請求項１〜１２のいずれか１項に記載の画像形成装置。
【請求項１４】
前記現像剤収容器は、
前記画像形成器に対して現像剤を供給するための開口部を有し、
前記供給制御手段は、
前記画像形成器に設けられ、前記現像剤収容器の前記開口部を開閉する開閉部材と、
前記第２の照合結果を入力し、前記第２の照合結果が前記不一致であったときには、前記開閉部材を駆動して前記開口部を閉じ、前記第２照合結果が前記一致であったときには、前記開閉部材を駆動して前記開口部を開ける駆動部と、
を有することを特徴とする請求項１〜１２のいずれか１項に記載の画像形成装置。
【発明の詳細な説明】
【技術分野】
【０００１】
本発明は、複写機、プリンタ、ファクシミリ装置等の画像形成装置に係り、特に現像剤の混色の防止に関するものである。
【背景技術】
【０００２】
従来の画像形成装置において、画像形成器に対して現像剤収容器を着脱自在とし、現像剤収容器から画像形成器へ現像剤を供給するものがある。
【先行技術文献】
【特許文献】
【０００３】
【特許文献１】特開２０１１−２２１３５１号公報
【発明の概要】
【発明が解決しようとする課題】
【０００４】
しかしながら、従来の画像形成装置においては、ある画像形成器に供給されるべき現像剤の色と、装着される現像剤収容器の現像剤の色が異なる場合、現像剤が混ざってしまう混色が発生する場合があった。
【課題を解決するための手段】
【０００５】
本発明の画像形成装置は、現像剤により画像を形成する着脱可能な画像形成器と、前記画像形成器に対して着脱可能に装着され、前記現像剤を収容して前記画像形成器へ供給する現像剤収容器と、前記現像剤収容器に取り付けられ、前記現像剤収容器に収容される前記現像剤における第１の色情報を記憶する第１の記憶手段と、前記画像形成器に取り付けられ、前記画像形成器に収容される前記現像剤における第２の色情報を記憶する第２の記憶手段と、前記第１の色情報及び前記第２の色情報を入力し、前記第１の色情報と前記第２の色情報とが一致するか否かを照合して第１の照合結果を出力する色情報照合部と、前記第１の照合結果を入力して前記第１の照合結果に基づき、前記現像剤収容器から前記画像形成器への前記現像剤の供給を制御する供給制御手段とを備えている。
【発明の効果】
【０００６】
本発明によれば、現像剤収容器内の現像剤の色を示す第１の色情報と、画像形成器内の現像剤の色を示す第２の色情報とを照合し、その照合結果に基づいて、現像剤収容器から画像形成器への現像剤の供給を制御するので、現像剤の混色を防止することができ、所望の色の画像形成が確実に可能になる。
【図面の簡単な説明】
【０００７】
【図１】図１は本発明の実施例１における画像形成装置の制御系の構成を示すブロック図である。
【図２】図２は本発明の実施例１における画像形成装置の概略を示す構成図である。
【図３】図３は図２中の画像形成ユニットを示す構成図である。
【図４】図４は図１の画像形成装置における現像剤収容器及び画像形成器の交換時の動作を示すフローチャートである。
【図５】図５は図１の画像形成装置における電源投入時の動作を示すフローチャートである。
【図６】図６は本発明の実施例２における画像形成装置の概略を示す構成図である。
【図７】図７は図６の画像形成装置の制御系の構成を示すブロック図である。
【図８】図８は図７の画像形成装置における現像剤収容器及び画像形成器の交換時の動作を示すフローチャートである。
【図９】図９は図７の画像形成装置における電源投入時の動作を示すフローチャートである。
【発明を実施するための形態】
【０００８】
本発明を実施するための形態は、以下の好ましい実施例の説明を添付図面と照らし合わせて読むと、明らかになるであろう。但し、図面はもっぱら解説のためのものであって、本発明の範囲を限定するものではない。
【実施例１】
【０００９】
（実施例１の構成）
図２は本発明の実施例１における画像形成装置の概略を示す構成図である。
【００１０】
画像形成装置は、例えば、電子写真方式のカラーページプリンタであり、左側は画像形成装置の正面であり右側は背面である。画像形成装置は、画像形成装置の各部材を収容するロアフレーム１を有している。ロアフレーム１の上部には、画像形成装置の各部材を覆うカバー２が設けられている。カバー２の一端は軸３により回動可能にロアフレーム１で支持されている。カバー２の他端２ａは、上下方向に力が加わると図中の矢印方向に回動するようになっている。軸３の近傍には、カバー２の開閉を検出するカバー開閉検出手段としてのカバー開閉検出部４が設けられている。
【００１１】
画像形成装置の正面には、ユーザの操作を受け付け、且つ、ユーザに対する各種メッセージを表示する操作部５が設けられている。
【００１２】
ロアフレーム１の下部には、給紙カセット６が設けられ、この給紙カセット６には、複数の記録媒体（例えば、用紙）６ａが積層されて収容されている。給紙カセット６の端部の上方には、最上部の用紙６ａに接するように用紙繰り出し部７が設けられている。ロアフレーム１には、用紙６ａを搬送する搬送路１０が設けられている。搬送路１０は、給紙ローラ１１，１２と、排出ローラ１４，１５を有しており、搬送路１０の一端には、給紙カセット６が配設され、他端には印刷済みの用紙６ａをスタックするスタッカ１６が配設されている。
【００１３】
搬送路１０には、繰り出された用紙６ａを静電効果により転写ベルト１３ａに付着させて搬送し、転写ローラ１３ｂによって現像剤像を用紙６ａ上に形成する転写ベルトユニット１３が設けられている。転写ベルトユニット１３の下流には、現像剤像が形成された用紙６ａを熱と圧力を加えて定着させる定着器１７が設けられている。
【００１４】
転写ベルトユニット１３の下方には、現像剤像を用紙６ａに形成した後に、転写ベルト１３ａに残存する廃トナーを掻き落として収容する廃トナー収容器１８が設けられている。画像形成装置の右側の背面には、手差しトレイ１９と、手差しされた用紙６ａを搬送路１０に繰り出す手差し用紙繰り出しローラ２０とが設けられている。
【００１５】
転写ベルトユニット１３の上方には、ブラック（Ｋ）、イエロー（Ｙ）、マゼンダ（Ｍ）、及びシアン（Ｃ）の色別に複数の画像形成ユニット３０（＝３０Ｋ，３０Ｙ，３０Ｍ，３０Ｃ）が配列されている。各画像形成ユニット３０の近傍のロアフレーム１には、各画像形成ユニット３０に対応して、複数のアンテナ４０（＝４０Ｋ,４０Ｙ，４０Ｍ，４０Ｃ）が設けられている。
【００１６】
図３は、図２中の画像形成ユニット３０を示す構成図である。
画像形成ユニット３０は、現像剤Ｔを収容する現像剤収容部３０ａと、現像剤Ｔにより画像を形成する画像形成器３０ｂと、を有している。現像剤収容器３０ａは、画像形成器３０ｂに対し、着脱可能に構成されており、現像剤Ｔを画像形成器３０ｂに供給する開口部としての供給口３１を有している。現像剤Ｔが収容された画像形成器３０ｂは、ロアフレーム１に対し、着脱可能に構成されている。画像形成器３０ｂは、現像剤収容器３０ａとの結合部付近に供給口３１を開閉する開閉部材としての遮蔽板３２を有している。この遮蔽板３２を駆動して供給口３１を開くことにより、現像剤Ｔが画像形成器３０ｂに供給される。現像剤収容部３０ａと画像形成器３０ｂとは、カバー２を開けることにより着脱が可能になる。
【００１７】
画像形成器３０ｂは、静電潜像を形成する感光体ドラム３３と、感光体ドラム３３を帯電する帯電ローラ３４と、感光体ドラム３３に一定の圧力で接することで現像剤Ｔを供給する現像ローラ３５と、現像剤ローラ３４に現像剤Ｔを供給するスポンジローラ３６と、現像ローラ３５の表面の現像剤Ｔを一定の厚さに規制する現像ブレード３７と、現像剤像Ｔａを形成した後に感光体ドラム３３の表面に残存している現像剤Ｔを掻き取るクリーニングブレード３８と、を有している。クリーニングブレード３８によって掻き落とされた現像剤Ｔは、図示されないが、搬送路を経由して排出口まで搬送され、現像剤収容器３０ａに設けられた回収口から廃現像剤収容部に回収されるようになっている。
【００１８】
感光体ドラム３３の近傍には、感光体ドラム３３の表面を露光する発光ダイオード（以下「ＬＥＤ」という。）ヘッド２１が設けられている。感光体ドラム３３は、図示しないモータによって回転し、ＬＥＤヘッド２１によってその表面が露光される。このＬＥＤヘッド２１の露光により、感光体ドラム３３の表面の電荷が除去されて静電潜像が形成されるようになっている。帯電ローラ３４は、一定の圧力で感光体ドラム３３の表面と接触しており、感光体ドラム３３と反対方向に回転するようになっている。
【００１９】
感光体ドラム３３の下方には、転写ローラ１３ｂが配置されている。この転写ローラ１３ｂと感光体ドラム３３によって、転写ベルト７ａが挟持されている。転写ローラ１３ｂは、高電圧を印加することにより感光体ドラム３３の表面に形成された現像剤像Ｔａを用紙６ａに転写する機能を有している。現像剤像Ｔａが転写された用紙６ａは、転写ベルト１３ａにより定着器１７に送られるようになっている。
【００２０】
現像剤収容器３０ａと画像形成器３０ｂとには、それぞれ色情報を記憶している無線タグ２２，２３が取り付けられている。無線タグ２２，２３の近傍には、アンテナ４０が取り付けられている。アンテナ４０は、無線タグ２２，２３の発信する色情報を受信するようになっている。
【００２１】
図１は、本発明の実施例１における画像形成装置の制御系の構成を示すブロック図である。
【００２２】
画像形成装置は、現像剤収容器３０ａと、画像形成器３０ｂと、アンテナ４０と、全体を制御するシステム制御部５０と、カバー開閉検出部４と、操作部５と、高周波（以下「ＲＦ」という。）制御部６０と、を有している。
【００２３】
現像剤収容器３０ａには、無線タグ２２が取り付けられている。無線タグ２２は、無線タグ２２の各部を制御する図示しない第１の中央処理装置（以下「ＣＰＵ」という。）と、無線通信によってデータの送受信を行う図示しない第１の送受信回路と、第１の色情報ＩＤ１を記憶する第１の記憶手段としての色情報記憶部２２ａと、を有している。
【００２４】
同様に、画像形成器３０ｂには、無線タグ２３が取り付けられている。無線タグ２３は、無線タグ２３の各部を制御する図示しない第２のＣＰＵと、無線通信によってデータの送受信を行う図示しない第２の送受信回路と、第２の色情報ＩＤ２を記憶する第２の記憶手段としての色情報記憶部２３ａを有している。
【００２５】
システム制御部５０は、カバー開閉監視部５１と、駆動部としての遮蔽板駆動部５２と、色情報照合部５３と、位置照合部５４と、を有している。
【００２６】
カバー開閉監視部５１は、カバー開閉検出部４の検出するカバー開閉信号Ｓ４を監視して第１の起動信号Ｓ５１を出力する機能を有している。遮蔽板駆動部５２は、遮蔽板３２を駆動する。色情報照合部５３は、アンテナ４０を介して無線タグ２２，２３の色情報記憶部２２ａ，２３ａにそれぞれ記憶している色情報ＩＤ１，ＩＤ２を読み出し、読み出した色情報ＩＤ１と色情報ＩＤ２とを照合し、第１の照合結果Ｓ５３を出力する機能を有している。
【００２７】
位置照合部５４は、無線タグ２３の色情報記憶部２３ａに記憶している色情報ＩＤ２を入力し、色情報ＩＤ２と画像形成器３０ｂの装着される位置を示す第３の色情報としての位置情報ＩＤ３とを比較して第２の照合結果Ｓ５４を出力する機能を有している。
【００２８】
画像形成器３０ａは、用紙６ａの搬送方向上流側から順に、ブラック（Ｋ）、イエロー（Ｙ）、マゼンダ（Ｍ）、及びシアン（Ｃ）の順に配置されている。位置情報ＩＤ３とは、画像形成器３０ｂが装着される位置を色で示す情報である。位置情報ＩＤ３は、位置情報記憶部５４ａに記憶されている。
【００２９】
ＲＦ制御部６０は、アンテナ４０を介して無線タグ２２及び無線タグ２３と無線通信可能になっており、アンテナ４０が受信した無線信号を復調して第１の色情報ＩＤ１及び第２の色情報ＩＤ２を取り出し、デジタル信号に変換して出力する機能を有している。
【００３０】
（実施例１における画像形成装置の全体動作）
図２及び図３を用いて、本実施例１における画像形成装置の全体動作を説明する。
【００３１】
画像形成装置は、図示しない上位装置から印刷ジョブを受信すると、感光ドラム３３等のローラ類を回転させる。給紙カセット６に収容された用紙６ａは、用紙繰り出し部７によって繰り出され、給紙ローラ１１及び給紙ローラ１２により転写ベルトユニット１３まで搬送される。
【００３２】
一方、画像形成ユニット３０においては、感光ドラム３３及び帯電ローラ３４が回転し、帯電ローラ３４によって、感光体ドラム３３の表面に一定の電荷が印加され、感光体ドラム３３の表面が均一に帯電する。均一に帯電した感光体ドラム３３の表面は、ＬＥＤヘッド２１の露光により、現像剤を付着させる部分の電荷が除去されて静電潜像が形成される。
【００３３】
画像形成器３０ｂの上部には、現像剤収容器３０ａが装着されており、現像剤収容器３０ａの下部の供給口３１から現像剤Ｔが画像形成器３０ｂの内部に供給される。供給された現像剤Ｔは、スポンジローラ３６によって、現像ローラ３５に供給される。現像ローラ３５の表面に供給された現像剤Ｔは、現像ブレード３７により一定の厚さに規制される。現像ローラ３５の表面の現像剤Ｔは、感光体ドラム３３の表面に供給され、その現像剤により感光体ドラム３３の表面に形成された静電潜像が現像される。
【００３４】
転写ベルトユニット１３まで搬送された用紙６ａは、感光体ドラム３３と転写ローラ１３ｂとに挟まれて送られる。このとき、図示しない高圧電源部から転写ローラ１３に印加された転写電圧の電界作用により、感光体ドラム３３上の現像剤Ｔが電気的に吸引されて用紙６ａに転写される。更に、用紙６ａは、定着器１７に搬送され、適度な熱と圧力が与えられる。その結果、用紙６ａ上の現像剤Ｔが溶解して用紙６ａに固定される。
【００３５】
（実施例１における現像剤収容器及び画像形成器の交換時の動作）
図４は、図１の画像形成装置における現像剤収容器３０ａ及び画像形成器３０ｂの交換時の動作を示すフローチャートである。
【００３６】
画像形成装置が起動されている状態において、現像剤収容器３０ａ及び画像形成器３０ｂを交換するときの動作を説明する。
【００３７】
ステップＳＴ１において、カバー開閉検出手段としてのカバー開閉監視部５１は、カバー開閉検出部４の状態を監視する。ユーザによりカバー２が開けられると（ＹＥＳ）、ステップＳＴ２へ進む。ステップＳＴ２において、ユーザにより現像剤収容器３０ａ及び画像形成器３０ｂが交換され、ステップＳＴ３へ進む。ステップＳＴ３において、カバー開閉監視部５１は、カバー開閉検出部４の状態を監視する。ユーザによりカバー２が閉じられると（ＹＥＳ）、カバー開閉監視部５１は、起動信号Ｓ５１を出力してステップＳＴ４へ進む。
【００３８】
ステップＳＴ４において、位置照合部５４は、起動信号５１を入力し、アンテナ４０及びＲＦ制御部６０を介して色情報ＩＤ２を読み出してステップＳＴ５へ進む。ステップＳＴ５において、位置照合部５４は、色情報ＩＤ２と位置情報記憶部５４ａに記憶された位置情報ＩＤ３とを照合し、照合結果Ｓ５４を出力してステップＳＴ６へ進む。
【００３９】
ステップＳＴ６において、色情報照合部５３は、起動信号５１を入力し、アンテナ４０及びＲＦ制御部６０を介して色情報ＩＤ１及び色情報ＩＤ２を読み出してステップＳＴ７へ進む。ステップＳＴ７において、色情報照合部５３は、色情報ＩＤ１と色情報ＩＤ２とを照合し、照合結果Ｓ５３を出力する。遮蔽板駆動部５２は、照合結果Ｓ５４及び照合結果Ｓ５３を入力し、照合結果Ｓ５４が一致を示し、且つ照合結果Ｓ５３が一致を示しているときには、ステップＳＴ８を実行する。照合結果Ｓ５４と照合結果Ｓ５３との少なくとも１つが不一致を示しているときには、ステップＳＴ１０を実行する。
【００４０】
ステップＳＴ８において、遮蔽板駆動部５２は、遮蔽板３２を駆動して供給口３１を開き、ステップＳＴ９へ進む。ステップＳＴ９において、現像剤収容器３０ａから画像形成器３０ｂに現像剤Ｔが供給され、ステップＳＴ１へ戻る。
【００４１】
ステップＳＴ１０において、遮蔽板駆動部５２は、異常を検知して操作部５にその旨のメッセージを表示し、ステップＳＴ１１へ進む。ステップＳＴ１１において、遮蔽板駆動部５２は、遮蔽板３２を駆動して供給口３１を閉じ、ステップＳＴ１へ戻る。
【００４２】
図５は、図１の画像形成装置における電源投入時の動作を示すフローチャートである。
画像形成装置の電源がオンされたときには、次のような動作になる。
【００４３】
ステップＳＴ１において、画像形成装置に電源が投入されると、図４のステップＳＴ４〜ＳＴ１１が実行されてステップＳＴ１へ戻る。
【００４４】
（実施例１の効果）
本実施例１の画像形成装置によれば、カバー２が閉じられたとき、画像形成器３０ｂが正しい位置に装着されているかが照合され、更に、現像剤収容器３０ａの色情報ＩＤ１と画像形成器３０ｂの色情報ＩＤ２とが一致しているか否かが照合される。照合の結果、現像剤収容器３０ａ又は画像形成器３０ｂが誤装着されたと判断された場合には、現像剤収容器３０ａから画像形成器３０ｂへの現像剤の供給を停止するので、現像剤Ｔの混色を確実に防止することができる。そのため、所望の色の画像形成が可能となる。
【実施例２】
【００４５】
（実施例２の構成）
図６は、本発明の実施例２における画像形成装置の概略を示す構成図であり、実施例１を示す図２中の要素と共通の要素には共通の符号が付されている。
【００４６】
本実施例２における画像形成装置と実施例１との相違点は、本実施例２では、実施例１の構成に加え、現像剤収容器着脱検出部７０が設けられている点である。他の構成は、実施例１と同様である。現像剤収容器着脱検出部７０は、現像剤収容器３０ａが画像形成器３０ｂに装着されたか否かを検出して着脱信号Ｓ７０を出力する機能を有している。
【００４７】
図７は、図６の画像形成装置の制御系の構成を示すブロック図であり、実施例１を示す図１中の要素と共通の要素には共通の符号が付されている。
【００４８】
本実施例２における画像形成装置と実施例１との相違点は、本実施例２では、実施例１の構成に加え、現像剤収容器着脱検出部７０及び現像剤収容器着脱監視部５５からなる着脱検出手段が設けられている点である。他の構成は、実施例１と同様である。
【００４９】
現像剤収容器着脱監視部５５は、現像剤収容器着脱検出部７０が出力する着脱信号Ｓ７０を監視して起動信号Ｓ５５を出力する機能を有している。
【００５０】
（実施例２の動作）
図８は、図７の画像形成装置における現像剤収容器３０ａ及び画像形成器３０ｂの交換時の動作を示すフローチャートであり、実施例１を示す図４中のステップと共通のステップには共通の符号が付されている。
【００５１】
本実施例２における図８のフローチャートでは、図４の「カバークローズを確認する」ステップＳＴ３に替えて、「現像剤収容器が装着されたか否か」を確認するステップＳＴ３Ａが設けられている点と、ステップＳＴ７に続いて、「カバークローズを確認する」ステップＳＴ７Ａが追加されている点が実施例１と異なっている。その他のステップは、実施例１と同様である。
【００５２】
実施例１と同様のステップＳＴ１において、カバーオープンが検出される。ステップＳＴ２で現像剤収容器３０ａ及び画像形成器３０ｂが交換される。実施例１と異なるステップＳＴ３Ａにおいて、現像剤収容器着脱監視部５５は、着脱信号７０を入力し、現像剤収容器３０ａが画像形成器３０ｂに装着されたか否かを監視する。装着されたときには、ステップＳＴ４へ進み、実施例１と同様のステップＳＴ４〜ＳＴ７が実行され、ステップＳＴ７Ａに進む。
【００５３】
実施例１と異なるステップＳＴ７Ａにおいて、カバークローズが確認される。その後、実施例１と同様のステップＳＴ９〜ＳＴ１１が実行されてステップＳＴ１へ戻る。
【００５４】
図９は、図７の画像形成装置における電源投入時の動作を示すフローチャートである。
画像形成装置の電源がオンされたときには、次のような動作になる。
【００５５】
ステップＳＴ３１において、画像形成装置に電源が投入されると、ステップＳＴ３２において、カバー２が閉じられているか否かがチェックされる。カバー２が閉じられたときには、図８のステップＳＴ３Ａ〜ＳＴ１１が実行されてステップＳＴ１へ戻る。
【００５６】
（実施例２の効果）
本実施例２によれば、実施例１の効果に加え、現像剤収容器３０ａが画像形成器３０ｂに装着されたことを検出したときに、画像形成器３０ｂが正しい位置に装着されているかが照合され、更に、現像剤収容器３０ａの色情報ＩＤ１と画像形成器３０ｂの色情報ＩＤ２とが一致しているか否かが照合さるので、カバークローズ前に、現像剤収容器３０ａが画像形成器３０ｂの誤装着を検出できる。そのため、ユーザによるカバークローズ及びカバーオープンの操作が必要なくなり、ユーザによる現像剤収容器３０ａ及び画像形成器３０ｂの交換作業が簡便化される。
【００５７】
（変形例）
本発明は、上記実施例１、２に限定されず、他の種々の利用形態や変形が可能である。この利用形態や変形例としては、例えば、次の（ａ）又は（ｂ）のようなものがある。
【００５８】
（ａ）  実施例１、２では、画像形成装置としてカラーページプリンタを例に説明したが、本発明はこれに限定されるものではなく、モノクロページプリンタ、ファクシミリ装置、複写機、ＭＦＰ（MultiFunction  Printer/Product/Peripheral）等であってもよい。
【００５９】
（ｂ）  実施例１、２では、色情報ＩＤ１，ＩＤ２を記憶する第１及び第２の記憶手段として、無線タグ２２内の色情報記憶部２２ａと無線タグ２３内の色情報記憶部２３ａを用いたが、色情報ＩＤ１，ＩＤ２の記憶は、無線タグ２２，２３内に限定されず、例えば、有線によりシステム制御部５０と通信可能なものであってもよい。
【符号の説明】
【００６０】
２                                カバー
２２                                無線タグ
２２ａ                              色情報記憶部
２３                                無線タグ
２３ａ                              色情報記憶部
３０ａ                              現像剤収容器
３０ｂ                              画像形成器
３１                                供給口
３２                                遮蔽板
４０                                アンテナ
５１                                カバー開閉監視部
５２                                遮蔽板駆動部
５３                                色情報照合部
Ｓ５３                              第１の照合結果
５４                                位置照合部
Ｓ５４                              第２の照合結果
５５                                現像剤収容器着脱監視部
６０                                ＲＦ制御部
Ｔ                                  現像剤
ＩＤ１                              第１の色情報
ＩＤ２                              第２の色情報
ＩＤ３                              位置情報
【図１】
2013225043.tif 000003
【図２】
2013225043.tif 000004
【図３】
2013225043.tif 000005
【図４】
2013225043.tif 000006
【図５】
2013225043.tif 000007
【図６】
2013225043.tif 000008
【図７】
2013225043.tif 000009
【図８】
2013225043.tif 000010
【図９】
2013225043.tif 000011